(57)【要約】      （修正有）【課題】条件に左右されて望んだ形での風景を撮影できなくても、指示に従って撮影することで望んだ風景の画像を取得することができる情報提供システム、通信端末、情報サーバ、情報提供方法、情報提供プログラムを提供する。【解決手段】通信端末で、風景の撮影場所を管理する情報サーバへ位置情報を送信し、前記情報サーバで、前記位置情報に対応した風景の画像及び風景を撮影するための指示を撮影情報として前記通信端末へ送信する。前記通信端末で、前記撮影情報を参照して現場を撮影し、前記撮影した現場の画像を前記情報サーバへ送信する。前記情報サーバで、前記通信端末から受信した画像と、前記位置情報に対応した風景の画像とを比較し、比較した結果に応じて、前記受信した画像を加工する。前記情報サーバで、前記加工された前記現場の画像について、前記サーバから受信する通信端末と備える情報提供システム。【選択図】図１１
2011181044.tif 000002
【特許請求の範囲】
【請求項１】
通信端末で、前記通信端末の位置情報を測位する測位部と、
前記通信端末で、風景の撮影場所を管理する情報サーバへ位置情報を送信する位置情報送信部と、
前記情報サーバで、前記通信端末の位置情報を前記位置情報送信部から受信する位置情報受信部と、
前記情報サーバで、前記位置情報に対応した風景の画像及び風景を撮影するための指示を撮影情報として前記撮影情報受信部へ送信する撮影情報送信部と、
前記通信端末で、前記撮影情報を前記撮影情報送信部から受信する撮影情報受信部と、
前記通信端末で、前記撮影情報を参照して現場を撮影する撮影部と、
前記通信端末で、前記撮影した現場の画像を前記情報サーバへ送信する端末画像送信部と、
前記情報サーバで、前記撮影情報を参照して撮影された画像を前記端末画像送信部から受信するサーバ画像受信部と、
前記情報サーバで、前記サーバ画像受信部において前記端末画像送信部から受信した画像と、前記位置情報に対応した風景の画像とを比較する画像比較部と、
前記情報サーバで、前記画像比較部において比較した結果に応じて、前記サーバ画像受信部において受信した画像を加工するサーバ画像加工部と、
前記情報サーバで、前記加工した画像を前記端末画像受信部へ送信するサーバ画像送信部と
前記通信端末で、前記位置情報に対応した風景の画像を参照して加工された前記現場の画像について、前記サーバ画像送信部から受信する端末画像受信部とを備える情報提供システム。
【請求項２】
さらに、前記通信端末において、前記送信する画像又は前記位置情報に対応した風景の画像を選択する指示を取得する端末画像指示部を備え、前記情報サーバにおいて、前記受信した画像又は前記位置情報に対応した風景の画像を選択する指示を取得するサーバ画像指示部を備えることを特徴とする請求項１に記載の情報提供システム。
【請求項３】
通信端末の位置情報を測位する測位部と、
風景の撮影場所を管理する情報サーバへ前記位置情報を送信する位置情報送信部と、
前記位置情報に対応した風景の画像及び前記風景を撮影するための指示を撮影情報として前記情報サーバから受信する撮影情報受信部と、
前記撮影情報を参照して現場を撮影する撮影部と、
前記撮影した現場の画像を前記情報サーバへ送信する端末画像送信部と、
前記撮影した現場の画像を、前記位置情報に対応した風景の画像を参照して加工された画像について、前記情報サーバから受信する端末画像受信部と、を備える通信端末。
【請求項４】
通信端末の位置情報を前記通信端末から受信する位置情報受信部と、
前記位置情報に対応した風景の画像及び前記風景を撮影するための指示を撮影情報として前記通信端末へ送信する撮影情報送信部と、
前記撮影情報を参照して撮影された現場の画像を前記通信端末から受信するサーバ画像受信部と、
前記サーバ画像受信部において前記通信端末から受信した画像と、前記位置情報に対応した風景の画像とを比較する画像比較部と、
前記画像比較部において比較した結果に応じて、前記サーバ画像受信部において受信した画像を加工するサーバ画像加工部と、
前記加工した画像を前記通信端末へ送信するサーバ画像送信部と、を備える情報サーバ。
【請求項５】
通信端末で、前記通信端末の位置情報を測位する測位手順と、
前記通信端末で、風景の撮影場所を管理する情報サーバへ前記位置情報を送信する位置情報送信手順と、
前記情報サーバで、前記通信端末の位置情報を前記通信端末から受信する位置情報受信手順と、
前記情報サーバで、前記位置情報に対応した風景の画像及び前記風景を撮影するための指示を撮影情報として前記通信端末へ送信する撮影情報送信手順と、
前記通信端末で、前記撮影情報を前記情報サーバから受信する撮影情報受信手順と、
前記通信端末で、前記撮影情報を参照して現場を撮影する撮影手順と、
前記通信端末で、前記撮影した現場の画像を前記情報サーバへ送信する端末画像送信手順と、
前記情報サーバで、前記撮影情報を参照して撮影された画像を前記通信端末から受信するサーバ画像受信手順と、
前記情報サーバで、前記サーバ画像受信手順において前記通信端末から受信した画像と、前記位置情報に対応した風景の画像とを比較する画像比較手順と、
前記情報サーバで、前記画像比較手順において比較した結果に応じて、前記サーバ画像受信手順において受信した画像を加工するサーバ画像加工手順と、
前記情報サーバで、前記加工した画像を前記通信端末へ送信するサーバ画像送信手順と、
前記通信端末で、前記撮影した現場の画像を、前記位置情報に対応した風景の画像を参照して加工された画像について、前記情報サーバから受信する端末画像受信手順と、を順に有する情報提供システムの情報提供方法。
【請求項６】
通信端末の位置情報を測位する測位手順と、
風景の撮影場所を管理する情報サーバへ前記位置情報を送信する位置情報送信手順と、
前記位置情報に対応した風景の画像及び前記風景を撮影するための指示を撮影情報として前記情報サーバから受信する撮影情報受信手順と、
前記撮影情報を参照して現場を撮影する撮影手順と、
前記撮影した現場の画像を前記情報サーバへ送信する端末画像送信手順と、
前記撮影した現場の画像を、前記位置情報に対応した風景の画像を参照して加工された画像について、前記情報サーバから受信する端末画像受信手順と、を順に有する通信端末の情報提供方法。
【請求項７】
通信端末の位置情報を前記通信端末から受信する位置情報受信手順と、
前記位置情報に対応した風景の画像及び前記風景を撮影するための指示を撮影情報として前記通信端末へ送信する撮影情報送信手順と、
前記撮影情報を参照して撮影された画像を前記通信端末から受信するサーバ画像受信手順と、
前記サーバ画像受信手順において前記通信端末から受信した画像と、前記位置情報に対応した風景の画像とを比較する画像比較手順と、
前記画像比較手順において比較した結果に応じて、前記サーバ画像受信手順において受信した画像を加工するサーバ画像加工手順と、
前記加工した画像を前記通信端末へ送信するサーバ画像送信手順と、を順に有する情報サーバの情報提供方法。
【請求項８】
通信端末で、前記通信端末の位置情報を測位する測位ステップと、
前記通信端末で、風景の撮影場所を管理する情報サーバへ前記位置情報を送信する位置情報送信ステップと、
前記情報サーバで、前記通信端末の位置情報を前記通信端末から受信する位置情報受信ステップと、
前記情報サーバで、前記位置情報に対応した風景の画像及び前記風景を撮影するための指示を撮影情報として前記通信端末へ送信する撮影情報送信ステップと、
前記通信端末で、前記撮影情報を前記情報サーバから受信する撮影情報受信ステップと、
前記通信端末で、前記撮影情報を参照して現場を撮影する撮影ステップと、
前記通信端末で、前記撮影した現場の画像を前記情報サーバへ送信する端末画像送信ステップと、
前記情報サーバで、前記撮影情報を参照して撮影された画像を前記通信端末から受信するサーバ画像受信ステップと、
前記情報サーバで、前記サーバ画像受信ステップにおいて前記通信端末から受信した画像と、前記位置情報に対応した風景の画像とを比較する画像比較ステップと、
前記情報サーバで、前記画像比較ステップにおいて比較した結果に応じて、前記サーバ画像受信ステップにおいて受信した画像を加工するサーバ画像加工ステップと、
前記情報サーバで、前記加工した画像を前記通信端末へ送信するサーバ画像送信ステップと、
前記通信端末で、前記撮影した現場の画像を、前記位置情報に対応した風景の画像を参照して加工された画像について、前記情報サーバから受信する端末画像受信ステップと、を順に情報提供システムに実行させる情報提供システムの情報提供プログラム。
【請求項９】
通信端末の位置情報を測位する測位ステップと、
風景の撮影場所を管理する情報サーバへ前記位置情報を送信する位置情報送信ステップと、
前記位置情報に対応した風景の画像及び前記風景を撮影するための指示を撮影情報として前記情報サーバから受信する撮影情報受信ステップと、
前記撮影情報を参照して現場を撮影する撮影ステップと、
前記撮影した現場の画像を前記情報サーバへ送信する端末画像送信ステップと、
前記撮影した現場の画像を、前記位置情報に対応した風景の画像を参照して加工された画像について、前記情報サーバから受信する端末画像受信ステップと、を順に通信端末に実行させる通信端末の情報提供プログラム。
【請求項１０】
通信端末の位置情報を前記通信端末から受信する位置情報受信ステップと、
前記位置情報に対応した風景の画像及び前記風景を撮影するための指示を撮影情報として前記通信端末へ送信する撮影情報送信ステップと、
前記撮影情報を参照して撮影された画像を前記通信端末から受信するサーバ画像受信ステップと、
前記サーバ画像受信ステップにおいて前記通信端末から受信した画像と、前記位置情報に対応した風景の画像とを比較する画像比較ステップと、
前記画像比較ステップにおいて比較した結果に応じて、前記サーバ画像受信ステップにおいて受信した画像を加工するサーバ画像加工ステップと、
前記加工した画像を前記通信端末へ送信するサーバ画像送信ステップと、を順に情報サーバに実行させる情報サーバの情報提供プログラム。
【発明の詳細な説明】
【技術分野】
【０００１】
本発明は、情報提供システム、通信端末、情報サーバ、情報提供システムの情報提供方法、通信端末の情報提供方法、情報サーバの情報提供方法、情報提供システムの情報提供プログラム、通信端末の情報提供プログラム、及び情報サーバの情報提供プログラムに関する。
【背景技術】
【０００２】
旅行などで有名スポットを訪れても、天候や日差し、季節などにより、旅行のパンフレットに載っているような風景を手軽に撮影できず、旅行の体験全体に残念な印象を残してしまうことがあった。この問題を解決するために、手軽に旅行のパンフレットに掲載されているような風景を撮影する方法が、以下の文献に提案されている。
【先行技術文献】
【特許文献】
【０００３】
【特許文献１】特開２００９−２３９３９７号公報
【特許文献２】特開２００９−１８１１８６号公報
【特許文献３】特開２００９−２２４８７８号公報
【発明の概要】
【発明が解決しようとする課題】
【０００４】
上述した特許文献１に示した発明では、通信端末の利用者が撮影に不慣れな場合や、初めて撮影する場所であっても、より好適な構図で撮影が行えるが、天候や時刻といった条件に左右されて、必ずしも望んだ風景が撮影できないという問題点があった。
【０００５】
また、上述した特許文献２に示した発明では、ＧＰＳ（全地球測位システム）を利用して観光スポットの名称、住所、電話番号等の情報を取得できるが、情報を取得できるだけで、天候や時刻といった条件に左右されて、必ずしも望んだ風景が撮影できないという問題点があった。
【０００６】
また、上述した特許文献３に示した発明では、通信端末の利用者が選んだフレームを撮影した写真に合成することができるが、天候や時刻といった条件に左右されて、必ずしも望んだ風景が撮影できないという問題点があった。
【０００７】
そこで、本発明の目的は、条件に左右されて望んだ風景の画像を撮影できなくても、指示に従って撮影することで望んだ風景の画像を取得することができる情報提供システム、通信端末、情報サーバ、情報提供システムの情報提供方法、通信端末の情報提供方法、情報サーバの情報提供方法、情報提供システムの情報提供プログラム、通信端末の情報提供プログラム、及び情報サーバの情報提供プログラムを提供することを目的とする。
【課題を解決するための手段】
【０００８】
また、上記目的を達成するために、本発明の情報提供システムは、通信端末で、前記通信端末の位置情報を測位する測位部と、前記通信端末で、風景の撮影場所を管理する情報サーバへ位置情報を送信する位置情報送信部と、前記情報サーバで、前記通信端末の位置情報を前記位置情報送信部から受信する位置情報受信部と、前記情報サーバで、前記位置情報に対応した風景の画像及び風景を撮影するための指示を撮影情報として前記撮影情報受信部へ送信する撮影情報送信部と、前記通信端末で、前記撮影情報を前記撮影情報送信部から受信する撮影情報受信部と、前記通信端末で、前記撮影情報を参照して現場を撮影する撮影部と、前記通信端末で、前記撮影した現場の画像を前記情報サーバへ送信する端末画像送信部と、前記情報サーバで、前記撮影情報を参照して撮影された画像を前記端末画像送信部から受信するサーバ画像受信部と、前記情報サーバで、前記サーバ画像受信部において前記端末画像送信部から受信した画像と、前記位置情報に対応した風景の画像とを比較する画像比較部と、前記情報サーバで、前記画像比較部において比較した結果に応じて、前記サーバ画像受信部において受信した画像を加工するサーバ画像加工部と、前記情報サーバで、前記加工した画像を前記端末画像受信部へ送信するサーバ画像送信部と、前記通信端末で、前記位置情報に対応した風景の画像を参照して加工された前記現場の画像について、前記サーバ画像送信部から受信する端末画像受信部とを備える。
【０００９】
上記目的を達成するために、本発明の通信端末は、通信端末の位置情報を測位する測位部と、風景の撮影場所を管理する情報サーバへ前記位置情報を送信する位置情報送信部と、前記位置情報に対応した風景の画像及び前記風景を撮影するための指示を撮影情報として前記情報サーバから受信する撮影情報受信部と、前記撮影情報を参照して現場を撮影する撮影部と、前記撮影した現場の画像を前記情報サーバへ送信する端末画像送信部と、前記撮影した現場の画像を、前記位置情報に対応した風景の画像を参照して加工された画像について、前記情報サーバから受信する端末画像受信部とを備える。
【００１０】
また、上記目的を達成するために、本発明の情報サーバは、通信端末の位置情報を前記通信端末から受信する位置情報受信部と、前記位置情報に対応した風景の画像及び前記風景を撮影するための指示を撮影情報として前記通信端末へ送信する撮影情報送信部と、前記撮影情報を参照して撮影された現場の画像を前記通信端末から受信するサーバ画像受信部と、前記サーバ画像受信部において前記通信端末から受信した画像と、前記位置情報に対応した風景の画像とを比較する画像比較部と、前記画像比較部において比較した結果に応じて、前記サーバ画像受信部において受信した画像を加工するサーバ画像加工部と、前記加工した画像を前記通信端末へ送信するサーバ画像送信部とを備える。
【００１１】
また、上記目的を達成するために、本発明の情報提供システムの情報提供方法は、通信端末で、前記通信端末の位置情報を測位する測位手順と、前記通信端末で、風景の撮影場所を管理する情報サーバへ前記位置情報を送信する位置情報送信手順と、前記情報サーバで、前記通信端末の位置情報を前記通信端末から受信する位置情報受信手順と、前記情報サーバで、前記位置情報に対応した風景の画像及び前記風景を撮影するための指示を撮影情報として前記通信端末へ送信する撮影情報送信手順と、前記通信端末で、前記撮影情報を前記情報サーバから受信する撮影情報受信手順と、前記通信端末で、前記撮影情報を参照して現場を撮影する撮影手順と、前記通信端末で、前記撮影した現場の画像を前記情報サーバへ送信する端末画像送信手順と、前記情報サーバで、前記撮影情報を参照して撮影された画像を前記通信端末から受信するサーバ画像受信手順と、前記情報サーバで、前記サーバ画像受信手順において前記通信端末から受信した画像と、前記位置情報に対応した風景の画像とを比較する画像比較手順と、前記情報サーバで、前記画像比較手順において比較した結果に応じて、前記サーバ画像受信手順において受信した画像を加工するサーバ画像加工手順と、前記情報サーバで、前記加工した画像を前記通信端末へ送信するサーバ画像送信手順と、前記通信端末で、前記撮影した現場の画像を、前記位置情報に対応した風景の画像を参照して加工された画像について、前記情報サーバから受信する端末画像受信手順とを順に有する。
【００１２】
また、上記目的を達成するために、本発明の通信端末の情報提供方法は、通信端末の位置情報を測位する測位手順と、風景の撮影場所を管理する情報サーバへ前記位置情報を送信する位置情報送信手順と、前記位置情報に対応した風景の画像及び前記風景を撮影するための指示を撮影情報として前記情報サーバから受信する撮影情報受信手順と、前記撮影情報を参照して現場を撮影する撮影手順と、前記撮影した現場の画像を前記情報サーバへ送信する端末画像送信手順と、前記撮影した現場の画像を、前記位置情報に対応した風景の画像を参照して加工された画像について、前記情報サーバから受信する端末画像受信手順とを順に有する。
【００１３】
また、上記目的を達成するために、本発明の情報サーバの情報提供方法は、通信端末の位置情報を前記通信端末から受信する位置情報受信手順と、前記位置情報に対応した風景の画像及び前記風景を撮影するための指示を撮影情報として前記通信端末へ送信する撮影情報送信手順と、前記撮影情報を参照して撮影された画像を前記通信端末から受信するサーバ画像受信手順と、前記サーバ画像受信手順において前記通信端末から受信した画像と、前記位置情報に対応した風景の画像とを比較する画像比較手順と、前記画像比較手順において比較した結果に応じて、前記サーバ画像受信手順において受信した画像を加工するサーバ画像加工手順と、前記加工した画像を前記通信端末へ送信するサーバ画像送信手順とを順に有する。
【００１４】
また、上記目的を達成するために、本発明の情報提供システムの情報提供プログラムは、通信端末で、前記通信端末の位置情報を測位する測位ステップと、前記通信端末で、風景の撮影場所を管理する情報サーバへ前記位置情報を送信する位置情報送信ステップと、前記情報サーバで、前記通信端末の位置情報を前記通信端末から受信する位置情報受信ステップと、前記情報サーバで、前記位置情報に対応した風景の画像及び前記風景を撮影するための指示を撮影情報として前記通信端末へ送信する撮影情報送信ステップと、前記通信端末で、前記撮影情報を前記情報サーバから受信する撮影情報受信ステップと、前記通信端末で、前記撮影情報を参照して現場を撮影する撮影ステップと、前記通信端末で、前記撮影した現場の画像を前記情報サーバへ送信する端末画像送信ステップと、前記情報サーバで、前記撮影情報を参照して撮影された画像を前記通信端末から受信するサーバ画像受信ステップと、前記情報サーバで、前記サーバ画像受信ステップにおいて前記通信端末から受信した画像と、前記位置情報に対応した風景の画像とを比較する画像比較ステップと、前記情報サーバで、前記画像比較ステップにおいて比較した結果に応じて、前記サーバ画像受信ステップにおいて受信した画像を加工するサーバ画像加工ステップと、前記情報サーバで、前記加工した画像を前記通信端末へ送信するサーバ画像送信ステップと、前記通信端末で、前記撮影した現場の画像を、前記位置情報に対応した風景の画像を参照して加工された画像について、前記情報サーバから受信する端末画像受信ステップとを順に情報提供システムに実行させる。
【００１５】
また、上記目的を達成するために、本発明の通信端末の情報提供プログラムは、通信端末の位置情報を測位する測位ステップと、風景の撮影場所を管理する情報サーバへ前記位置情報を送信する位置情報送信ステップと、前記位置情報に対応した風景の画像及び前記風景を撮影するための指示を撮影情報として前記情報サーバから受信する撮影情報受信ステップと、前記撮影情報を参照して現場を撮影する撮影ステップと、前記撮影した現場の画像を前記情報サーバへ送信する端末画像送信ステップと、前記撮影した現場の画像を、前記位置情報に対応した風景の画像を参照して加工された画像について、前記情報サーバから受信する端末画像受信ステップと、を順に通信端末に実行させる。
【００１６】
また、上記目的を達成するために、本発明の情報サーバの情報提供プログラムは、通信端末の位置情報を前記通信端末から受信する位置情報受信ステップと、前記位置情報に対応した風景の画像及び前記風景を撮影するための指示を撮影情報として前記通信端末へ送信する撮影情報送信ステップと、前記撮影情報を参照して撮影された画像を前記通信端末から受信するサーバ画像受信ステップと、前記サーバ画像受信ステップにおいて前記通信端末から受信した画像と、前記位置情報に対応した風景の画像とを比較する画像比較ステップと、前記画像比較ステップにおいて比較した結果に応じて、前記サーバ画像受信ステップにおいて受信した画像を加工するサーバ画像加工ステップと、前記加工した画像を前記通信端末へ送信するサーバ画像送信ステップとを順に情報サーバに実行させる。
【発明の効果】
【００１７】
本発明によれば、条件に左右されて望んだ風景の画像を撮影できなくても、指示に従って撮影することで望んだ風景の画像を取得することができる。
【図面の簡単な説明】
【００１８】
【図１】本発明の情報提供システムを示すブロック図である。
【図２】本発明の情報提供システムの実施形態を示すブロック図である。
【図３】本発明の情報提供システムの実施形態を示すブロック図である。
【図４】本発明の情報提供システムの全体構成を示すブロック図である。
【図５】本発明の通信端末を示すブロック図である。
【図６】本発明の通信端末の実施形態を示すブロック図である。
【図７】本発明の通信端末の実施形態を示すブロック図である。
【図８】本発明の情報サーバを示すブロック図である。
【図９】本発明の情報サーバの実施形態を示すブロック図である。
【図１０】本発明の情報サーバの実施形態を示すブロック図である。
【図１１】本発明の情報提供システムの情報提供方法を示すフローチャートである。
【図１２】本発明の情報提供システムの情報提供方法の実施形態を示すフローチャートである。
【図１３】本発明の情報提供システムの情報提供方法の実施形態を示すフローチャートである。
【図１４】本発明の通信端末の情報提供方法を示すフローチャート図である。
【図１５】本発明の通信端末の情報提供方法の実施形態を示すブロック図である。
【図１６】本発明の通信端末の情報提供方法の実施形態を示すブロック図である。
【図１７】本発明の情報サーバの情報提供方法を示すフローチャート図である。
【図１８】本発明の情報サーバの情報提供方法の実施形態を示すブロック図である。
【図１９】本発明の情報サーバの情報提供方法の実施形態を示すブロック図である。
【図２０】本発明の情報提供システムを使用する通信端末の利用者の近隣の撮影場所の撮影情報である。
【図２１】本発明の情報提供システムを使用して撮影する際の、撮影情報に関連付けされた参照画像である。
【図２２】本発明の情報提供システムを使用して撮影する際に用いられる加工用の元画像である。
【図２３】本発明の情報提供システムを使用して実際に撮影された画像である。
【図２４】本発明の情報提供システムを使用して加工された画像である。
【図２５】本発明の情報提供システムを使用して一過性がある撮影対象を撮影し、加工した画像である。
【図２６】本発明の情報提供システムの情報提供プログラムを示すフローチャートである。
【図２７】本発明の情報提供システムの情報提供プログラムの実施形態を示すフローチャートである。
【図２８】本発明の情報提供システムの情報提供プログラムの実施形態を示すフローチャートである。
【図２９】本発明の通信端末の情報提供プログラムを示すフローチャートである。
【図３０】本発明の通信端末の情報提供プログラムの実施形態を示すフローチャートである。
【図３１】本発明の通信端末の情報提供プログラムの実施形態を示すフローチャートである。
【図３２】本発明の情報サーバの情報提供プログラムを示すフローチャートである。
【図３３】本発明の情報サーバの情報提供プログラムの実施形態を示すフローチャートである。
【図３４】本発明の情報サーバの情報提供プログラムの実施形態を示すフローチャートである。
【発明を実施するための形態】
【００１９】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００２０】
まず、図１を参照して、本発明の情報提供システムを説明する。図１は、本発明の情報提供システムの概略図である。通信端末から構成を説明する。測位部１６−１は、通信端末の現在の位置を含む位置情報を測位し、位置情報送信部１１−１へ情報を転送する。例えば、ＧＰＳ（全地球測位システム）である。なお、位置情報には、現場を撮影した日時が含まれていてもよい。例えば、通信端末の現在位置周辺で行われるイベントの開催日時である。日時を含むことで一過性のイベント、例えば花火の撮影などにも対応できる。位置情報送信部１１−１は、測位部１６−１から転送された通信端末の位置情報を、風景の撮影場所を管理する情報サーバへ送信する。撮影情報受信部１３−１は、情報サーバから、位置情報に対応した風景の画像及び風景を撮影するための指示を撮影情報として受信する。位置情報に対応した風景の画像とは、通信端末の現在の位置から撮影可能と考えられる風景の画像であり、天候や時刻を変更して様々な条件下で撮影された画像である。また、風景を撮影するための指示とは、位置情報に対応した風景の画像を撮影するための指示である。
【００２１】
また、撮影情報には、緯度、経度、仰角、理想的な条件で撮影された画像が含まれてもよい。撮影情報は、例えば、通信端末の利用者が旅行に先立って事前に情報サーバにアクセスし、指定したエリアに対する候補やお勧めの場所を、情報サーバから提供する撮影情報を提供するように構成し、事後となる現地に到着してから撮影するように構成することもできる。この際、理想的な構図及び人物配置や構図構成時の目標物が分かるような参照画像を含んでもよい。また、事前にＧＰＳからの情報と関連付けられる情報を情報サーバから提供し、ナビゲーションシステムによって目的地まで誘導できるように構成することもできる。撮影部１５−１は、撮影情報を参照して現場を撮影する。例えば、デジタルカメラである。端末画像送信部１２−１は、撮影部１５−１によって撮影された現場の画像を情報サーバへ送信する。そして、端末画像受信部１４−１は、情報サーバから、加工された現場の画像を受信する。加工された現場の画像は、位置情報に対応した風景の画像を参照して加工された画像であり、撮影された時点の現場の画像と、位置情報に対応した風景の画像とを比較して、位置情報に対応した風景の画像に近づけるように加工される。端末制御部１０−１は、情報の送受信及び各部間のやりとりを制御する。
【００２２】
次に、情報サーバの構成を説明する。位置情報受信部２３−１は、通信端末の位置情報について、通信端末から受信する。なお、位置情報には、現場を撮影した日時が含まれてもよい。日時を含むことで一過性のイベント、例えば花火の撮影などにも対応できる。撮影情報送信部２１−１は、通信端末から受信した位置情報について、位置情報に対応した風景の画像、及び風景を撮影するための指示を撮影情報として通信端末へ送信する。位置情報に対応した風景の画像とは、通信端末の現在位置から撮影可能と考えられる風景の画像であり、天候や時刻を変更して様々な条件下で撮影された画像である。また、風景を撮影するための指示とは、位置情報に対応した風景の画像を撮影するための指示である。また、撮影情報には、緯度、経度、仰角、様々な条件で撮影された画像が含まれてもよい。撮影情報は、例えば、通信端末の利用者が旅行に先立って事前に情報サーバにアクセスし、指定したエリアに対する候補やお勧めの場所を、情報サーバから提供する撮影情報を提供するように構成し、事後となる現地に到着してから撮影するようにすることもできる。この際、理想的な構図及び人物配置や構図構成時の目標物が分かるような参照画像を含んでもよい。また、事前にＧＰＳからの位置情報と関連付けられる情報を情報サーバから提供し、ナビゲーションシステムによって目的地まで誘導できるように構成することもできる。
【００２３】
サーバ画像受信部２４−１は、通信端末の利用者が、撮影情報を参照して撮影した現場の画像を受信する。画像比較部２５−１は、サーバ画像受信部２４−１において通信端末から受信した現場の画像と、撮影情報送信部２１−１において通信端末へ送信した位置情報に対応した風景の画像とを比較する。現場の画像において、例えば、通信端末の利用者が、風光明媚な観光スポットを訪れて、風景に雲がかかっている、日差しが弱く色合いがはっきりしない、桜花など観賞のピークから微妙にずれている、又は花火のように一過性でタイミングが非常に難しい撮影対象等について撮影を行う際に、天候や時刻に左右されて、必ずしも望んだ風景が撮影できないことがある。そこで、サーバ画像加工部２６−１は、画像比較部２５−１において比較した結果に応じて、サーバ画像受信部２４−１において受信した画像を加工する。受信した撮影された時点の現場の画像と、位置情報に対応した風景の画像とを比較して、位置情報に対応した風景の画像に近づけるように加工する。サーバ画像送信部２２−１は、加工した画像を通信端末へ送信する。サーバ制御部２０−１は、情報の送受信及び各部間のやりとりを制御する。
【００２４】
以上説明したように、通信端末の利用者が例えば、風光明媚な観光スポットを訪れて、雲がかかっている、日差しが弱く色合いがはっきりしない、又は桜花など観賞のピークから微妙にずれている、或いは花火のように一過性でタイミングが非常に難しい撮影対象などを撮影した際に、天候や時刻といった条件に左右されて、必ずしも望んだ風景の画像が撮影できないことがあったが、位置情報や時刻情報と連携し、撮影対象の状況を問わず、望んだ風景の画像を取得することができる。
【００２５】
ここで、図２を参照して、本発明の情報提供システムの実施形態を説明する。図２は、本発明の情報提供システムの実施形態の概略図である。通信端末は、送信する画像又は記位置情報に対応した風景の画像を選択する指示を取得する端末画像指示部１７−１を備えてもよい。また、情報サーバは、受信した画像又は位置情報に対応した風景の画像を選択する指示を取得するサーバ画像指示部２７−１を備えてもよい。情報サーバから受信した位置情報に対応した風景の画像は、様々な条件において撮影された画像が含まれており、通信端末の利用者が参照する画像を選択することができる。同様に、情報サーバへ送信する画像についても、撮影部１５−２によって撮影された複数の画像の中から選択して送信することができるので、より現場の状況を明確に撮影した画像を送信することができる。情報サーバでは、通信端末から受信した撮影情報を参照して撮影された現場の画像が複数である場合、通信端末の利用者に対して画像を選択させることができる。同様に、画像を加工後、通信端末へ送信する画像についても、異なる複数の条件で加工した場合には、異なる複数の画像の中から選択させることができるので、より通信端末の利用者の要求に即した画像を取得することができる。
【００２６】
また、図３及び図４を参照して、本発明の情報提供システムの実施形態を説明する。図３は、本発明の情報提供システムの実施形態の概略図である。図４は、本発明の情報提供システムの全体構成図である。通信端末１００は、現場を撮影した画像を保持する端末画像保持部１８−１を備えてもよい。そして、サーバ画像加工部２６−３において、受信した画像を加工するか否かの指示を取得するサーバ加工指示部２８−１を備えてもよい。通信端末１００において、端末画像保持部１８−１に撮影した画像を保持し、別途、ネットワーク通信網２００を介して、情報処理端末１０１、例えばコンピュータにおいて画像を加工できるようにすることで、通信端末１００の利用者が、自分自身の手法と時期に画像を加工することができる。また、情報サーバ１０２では、通信端末１００において、端末画像保持部１８−１に画像を保持し、通信端末１００のユーザが画像を加工することができる場合、情報サーバ１０２で加工するか否かを選択できるようにすることで、通信端末１００の利用者が、自分自身の手法と時期に画像を加工することができる。
【００２７】
次に、図５を参照して、本発明の通信端末を説明する。図５は、本発明の通信端末の概略図である。通信端末の位置情報を測位する測位部１６−４と、風景の撮影場所を管理する情報サーバへ位置情報を送信する位置情報送信部１１−４と、位置情報に対応した風景の画像及び風景を撮影するための指示を撮影情報として情報サーバから受信する撮影情報受信部１３−４と、撮影情報を参照して現場を撮影する撮影部１５−４と、撮影した現場の画像を情報サーバへ送信する端末画像送信部１２−４と、撮影した現場の画像を、位置情報に対応した風景の画像を参照して加工された画像について、情報サーバから受信する端末画像受信部１４−４とを備える。なお、図１から図３で説明した要素については説明を省略する。なお、位置情報には、現場を撮影した日時が含まれてもよい。日時を含むことで一過性のイベント、例えば花火の撮影などにも対応できる。
【００２８】
以上説明したように、通信端末の利用者が例えば、風光明媚な観光スポットを訪れて、雲がかかっている、日差しが弱く色合いがはっきりしない、又は桜花など観賞のピークから微妙にずれている、或いは花火のように一過性でタイミングが非常に難しい撮影対象などを撮影した際に、天候や時刻といった条件に左右されて、必ずしも望んだ風景の画像が撮影できないことがあったが、位置情報や時刻情報と連携し、撮影対象の状況を問わず、望んだ風景の画像を取得することができる。
【００２９】
ここで、図６を参照して、本発明の通信端末の実施形態を説明する。図６は、本発明の通信端末の概略図であり、送信する画像又は位置情報に対応した風景の画像を選択する指示を取得する端末画像指示部１７−２を備えてもよい。情報サーバから受信した位置情報に対応した風景の画像は、様々な条件において撮影された画像が含まれており、通信端末の利用者がどのような画像を撮影するのか、参照する画像を選択することができる。同様に、情報サーバへ送信する画像についても、撮影部１５−５によって撮影した画像の中から選択して送信することができるので、より現場の状況を明確に撮影した画像を送信することができる。
【００３０】
さらに、図７を参照して、本発明の通信端末の実施形態を説明する。図７は、本発明の通信端末の概略図であり、現場を撮影した画像を加工する端末画像保持部１８−２を備えてもよい。通信端末において、端末画像保持部１８−２に撮影した画像を保持し、別途、情報処理端末、例えばコンピュータにおいて画像を加工できるようにすることで、通信端末の利用者が、自分自身の手法と時期に画像を加工することができる。
【００３１】
次に、図８を参照して、本発明の情報サーバを説明する。図８は、本発明の情報サーバの概略図である。通信端末の位置情報を通信端末から受信する位置情報受信部２３−４と、位置情報に対応した風景の画像及び風景を撮影するための指示を撮影情報として通信端末へ送信する撮影情報送信部２１−４と、撮影情報を参照して撮影された現場の画像を通信端末から受信するサーバ画像受信部２４−４と、サーバ画像受信部において通信端末から受信した画像と、位置情報に対応した風景の画像とを比較する画像比較部２５−４と、画像比較部において比較した結果に応じて、サーバ画像受信部において受信した画像を加工するサーバ画像加工部２６−４と、加工した画像を通信端末へ送信するサーバ画像送信部２２−４とを備える。なお、図１から図３で説明した要素については説明を省略する。なお、位置情報には、現場を撮影した日時が含まれてもよい。日時を含むことで一過性のイベント、例えば花火の撮影などにも対応できる。
【００３２】
以上説明したように、通信端末の利用者が例えば、風光明媚な観光スポットを訪れて、雲がかかっている、日差しが弱く色合いがはっきりしない、又は桜花など観賞のピークから微妙にずれている、或いは花火のように一過性でタイミングが非常に難しい撮影対象などを撮影した際に、天候や時刻といった条件に左右されて、必ずしも望んだ風景の画像が撮影できないことがあったが、位置情報や時刻情報と連携し、撮影対象の状況を問わず、望んだ風景の画像を取得することができる。
【００３３】
次に、図９を参照して、本発明の情報サーバの実施形態を説明する。図９は、本発明の情報サーバの実施形態の概略図であり、受信した画像又は位置情報に対応した風景の画像を選択する指示を取得するサーバ画像指示部２７−２を備えてもよい。通信端末から受信した撮影情報を参照して撮影された現場の画像が複数である場合、通信端末の利用者に対して画像を選択させることができる。同様に、画像を加工後、通信端末へ送信する画像についても、異なる複数の条件で加工した場合には、異なる複数の画像の中から選択させることができるので、より通信端末の利用者の要求に即した画像のみを取得することができる。
【００３４】
次に、図１０を参照して、本発明の情報サーバの実施形態を説明する。図１０は、本発明の情報サーバの実施形態の概略図であり、サーバ画像加工部２６−６において、受信した画像を加工するか否かの指示を取得するサーバ加工指示部２８−２を備えてもよい。情報サーバでは、通信端末のユーザが画像を加工することができる場合、情報サーバで加工するか否かを選択できるようにすることで、通信端末の利用者が、自分自身の手法と時期に画像を加工することができる。
【００３５】
次に、図１１を参照して、本発明の情報提供システムの情報提供方法を説明する。図１１は、本発明の情報提供システムの情報提供方法のフローチャートである。まず、通信端末で、測位手順Ｐ１６−１において、通信端末の位置情報を測位し、位置情報送信手順Ｐ１１−１において、風景の撮影場所を管理する情報サーバへ位置情報を送信する。情報サーバで、位置情報受信手順Ｐ２３−１において、通信端末の位置情報を通信端末から受信し、撮影情報送信手順Ｐ２１−１において、位置情報に対応した風景の画像及び風景を撮影するための指示を撮影情報として通信端末へ送信する。通信端末で、撮影情報受信手順Ｐ１３−１において、撮影情報を情報サーバから受信し、撮影手順Ｐ１５−１において、撮影情報を参照して現場を撮影し、端末画像送信手順Ｐ１２−１において、撮影した現場の画像を情報サーバへ送信する。
【００３６】
そして、情報サーバで、サーバ画像受信手順Ｐ２４−１において、撮影情報を参照して撮影された画像を通信端末から受信し、画像比較手順Ｐ２５−１において、サーバ画像受信手順Ｐ２４−１で通信端末から受信した画像と、位置情報に対応した風景の画像とを比較し、サーバ画像加工手順Ｐ２６−１において、画像比較手順Ｐ２５−１で比較した結果に応じて、サーバ画像受信手順Ｐ２４−１で受信した画像を加工し、サーバ画像送信手順Ｐ２２−１において、加工した画像を通信端末へ送信する。通信端末で、端末画像受信手順Ｐ１４−１において、撮影した現場の画像を、位置情報に対応した風景の画像を参照して加工された画像について、情報サーバから受信する。なお、位置情報には、現場を撮影した日時が含まれてもよい。日時を含むことで一過性のイベント、例えば花火の撮影などにも対応できる。
【００３７】
以上説明したように、通信端末の利用者が例えば、風光明媚な観光スポットを訪れて、雲がかかっている、日差しが弱く色合いがはっきりしない、又は桜花など観賞のピークから微妙にずれている、或いは花火のように一過性でタイミングが非常に難しい撮影対象などを撮影した際に、天候や時刻といった条件に左右されて、必ずしも望んだ風景の画像が撮影できないことがあったが、位置情報や時刻情報と連携し、撮影対象の状況を問わず、望んだ風景の画像を取得することができる。
【００３８】
次に、図１２を参照して、本発明の情報提供システムの情報提供方法の実施形態を説明する。図１２は、本発明の情報提供システムの情報提供方法の実施形態のフローチャートであり、撮影情報受信手順Ｐ１３−２の後、撮影手順Ｐ１５−２の前で、又は撮影手順Ｐ１５−２の後、端末画像送信手順Ｐ１２−２の前で、端末画像指示手順Ｐ１７−１において、送信する画像又は位置情報に対応した風景の画像を選択する指示を取得してもよい。また、撮影情報送信手順Ｐ２１−２の前、位置情報受信手順Ｐ２３−２の後で、又は画像比較手順Ｐ２５−２の前、サーバ画像受信手順Ｐ２４−２の後で、サーバ画像指示手順Ｐ２７−１において、受信した画像又は位置情報に対応した風景の画像を選択する指示を取得してもよい。
【００３９】
通信端末では、情報サーバから受信した位置情報に対応した風景の画像は、様々な条件において撮影された画像が含まれており、通信端末の利用者がどのような画像を撮影するのか、参照する画像を選択することができる。同様に、情報サーバへ送信する画像についても、撮影部によって撮影された画像の中から選択して送信することができるので、より現場の状況を明確に撮影した画像を送信することができる。また、情報サーバでは、通信端末から受信した撮影情報を参照して撮影された現場の画像が複数である場合、通信端末の利用者に対して画像を選択させることができる。同様に、画像を加工後、通信端末へ送信する画像についても、異なる複数の条件で加工した場合には、異なる複数の画像の中から選択させることができるので、より通信端末の利用者の要求に即した画像を取得することができる。
【００４０】
次に、図１３を参照して、本発明の情報提供システムの情報提供方法の実施形態を説明する。図１３は、本発明の情報提供システムの情報提供方法の実施形態のフローチャートであり、撮影手順Ｐ１５−３の後で、端末画像保持手順Ｐ１８−１において、現場を撮影した画像を加工してもよい。また、サーバ画像加工手順Ｐ２６−３の前、画像比較手順Ｐ２５−３の後で、サーバ加工指示手順Ｐ２８−１において、サーバ画像加工手順Ｐ２６−３で、受信した画像を加工するか否かの指示を取得してもよい。通信端末において、撮影した画像を保持し、別途、情報処理端末、例えばコンピュータにおいて画像を加工できるようにすることで、通信端末の利用者が、自分自身の手法と時期に画像を加工することができる。また、情報サーバでは、通信端末において、画像を保持し、通信端末のユーザが画像を加工することができる場合、情報サーバで加工するか否かを選択できるようにすることで、通信端末の利用者が、自分自身の手法と時期に画像を加工することができる。
【００４１】
次に、図１４を参照して、本発明の通信端末の情報提供方法を説明する。図１４は、本発明の通信端末の情報提供方法のフローチャートである。まず、測位手順Ｐ１６−４において、通信端末の位置情報を測位する。次に、位置情報送信手順Ｐ１１−４において、風景の撮影場所を管理する情報サーバへ位置情報を送信する。撮影情報受信手順Ｐ１３−４において、位置情報に対応した風景の画像及び風景を撮影するための指示を撮影情報として情報サーバから受信する。撮影手順Ｐ１５−４において、撮影情報を参照して現場を撮影する。さらに、端末画像送信手順Ｐ１２−４において、撮影した現場の画像を情報サーバへ送信する。そして、端末画像受信手順Ｐ１４−４において、撮影した現場の画像を、位置情報に対応した風景の画像を参照して加工された画像について、情報サーバから受信する。なお、位置情報には、現場を撮影した日時が含まれてもよい。日時を含むことで一過性のイベント、例えば花火の撮影などにも対応できる。
【００４２】
以上説明したように、通信端末の利用者が例えば、風光明媚な観光スポットを訪れて、雲がかかっている、日差しが弱く色合いがはっきりしない、又は桜花など観賞のピークから微妙にずれている、或いは花火のように一過性でタイミングが非常に難しい撮影対象などを撮影した際に、天候や時刻といった条件に左右されて、必ずしも望んだ風景の画像が撮影できないことがあったが、位置情報や時刻情報と連携し、撮影対象の状況を問わず、望んだ風景の画像を取得することができる。
【００４３】
次に、図１５を参照して、本発明の通信端末の情報提供方法の実施形態を説明する。図１５は、本発明の通信端末の情報提供方法の実施形態のフローチャートである。まず、撮影情報受信手順Ｐ１３−５の後、撮影手順Ｐ１５−５の前、又は撮影手順Ｐ１５−５の後、端末画像送信手順Ｐ１２−５の前で、端末画像指示手順Ｐ１７−２において、送信する画像又は位置情報に対応した風景の画像を選択する指示を取得してもよい。情報サーバから受信した位置情報に対応した風景の画像は、様々な条件において撮影された画像が含まれており、通信端末の利用者がどのような画像を撮影するのか、参照する画像を選択することができる。同様に、情報サーバへ送信する画像についても、撮影部によって撮影された画像の中から選択して送信することができるので、より現場の状況を明確に撮影した画像を送信することができる。
【００４４】
次に、図１６を参照して、本発明の通信端末の情報提供方法の実施形態を説明する。図１６は、本発明の通信端末の情報提供方法の実施形態のフローチャートである。まず、撮影手順Ｐ１５−６の後で、端末画像保持手順Ｐ１８−２において、現場を撮影した画像を加工してもよい。通信端末において、撮影した画像を保持し、別途、情報処理端末、例えばコンピュータにおいて画像を加工できるようにすることで、通信端末の利用者が、自分自身の手法と時期に画像を加工することができる。
【００４５】
次に、図１７を参照して、本発明の情報サーバの情報提供方法を説明する。図１７は、本発明の情報サーバの情報提供方法のフローチャートである。まず、位置情報受信手順Ｐ２３−４において、通信端末の位置情報を通信端末から受信する。次に、撮影情報送信手順Ｐ２１−４において、位置情報に対応した風景の画像及び風景を撮影するための指示を撮影情報として通信端末へ送信する。さらに、サーバ画像受信手順Ｐ２４−４において、撮影情報を参照して撮影された画像を通信端末から受信する。そして、画像比較手順Ｐ２５−４において、サーバ画像受信手順Ｐ２４−４で通信端末から受信した画像と、位置情報に対応した風景の画像とを比較する。さらに、サーバ画像加工手順Ｐ２６−４において、画像比較手順において比較した結果に応じて、サーバ画像受信手順Ｐ２４−４で受信した画像を加工する。そして、サーバ画像送信手順Ｐ２２−４において、加工した画像を通信端末へ送信する。なお、位置情報には、現場を撮影した日時が含まれてもよい。日時を含むことで一過性のイベント、例えば花火の撮影などにも対応できる。
【００４６】
以上説明したように、通信端末の利用者が例えば、風光明媚な観光スポットを訪れて、雲がかかっている、日差しが弱く色合いがはっきりしない、又は桜花など観賞のピークから微妙にずれている、或いは花火のように一過性でタイミングが非常に難しい撮影対象などを撮影した際に、天候や時刻といった条件に左右されて、必ずしも望んだ風景の画像が撮影できないことがあったが、位置情報や時刻情報などと連携し、撮影対象の状況を問わず、望んだ風景の画像を取得することができる。
【００４７】
次に、図１８を参照して、本発明の情報サーバの情報提供方法を説明する。図１８は、本発明の情報サーバの情報提供方法のフローチャートであり、また、撮影情報送信手順Ｐ２１−５の前、位置情報受信手順Ｐ２３−５の後で、又は画像比較手順Ｐ２５−５の前、サーバ画像受信手順Ｐ２４−５の後で、サーバ画像指示手順Ｐ２７−２において、受信した画像又は位置情報に対応した風景の画像を選択する指示を取得してもよい。通信端末から受信した撮影情報を参照して撮影された現場の画像が複数である場合、通信端末の利用者に対して画像を選択させることができる。同様に、画像を加工後、通信端末へ送信する画像についても、異なる複数の条件で加工した場合には、異なる複数の画像の中から選択させることができるので、より通信端末の利用者の要求に即した画像を取得することができる。
【００４８】
次に、図１９を参照して、本発明の情報サーバの情報提供方法の実施形態を説明する。図１９は、本発明の情報提供システムの情報サーバの実施形態のフローチャートであり、サーバ画像加工手順Ｐ２６−６の前、画像比較手順Ｐ２５−６の後で、サーバ加工指示手順Ｐ２８−２において、サーバ画像加工手順Ｐ２６−６で、受信した画像を加工するか否かの指示を取得してもよい。情報サーバでは、通信端末において、画像を保持し、通信端末のユーザが画像を加工することができる場合、情報サーバで加工するか否かを選択できるようにすることで、通信端末の利用者が、自分自身の手法と時期に画像を加工することができる。
【００４９】
ここで、図２０から図２５を参照して、本発明の情報提供システムの情報提供方法の具体例を説明する。通信端末は、搭載された測位部、例えばＧＰＳを用いて測定した現在の位置情報を含む情報を情報サーバに送信する。情報を受け取った情報サーバは、受け取った位置情報から、通信端末の利用者の近隣の撮影場所を示す情報として、撮影情報を通信端末へ送信する。図２０に撮影情報の例を示す。図２０において撮影情報は、星印を示した理想的な撮影場所と、撮影する方向のみを平面略式図に重ねたものであるが、ベースとなる画像は航空写真の画像であっても良い。また、通信端末の利用者の現在位置を示す印を重ね合わせて表示させてもよい。ここで、情報サーバから、通信端末の利用者へ選択肢を提供し、又は自動的に撮影情報を参照して撮影してもよい。情報サーバは、通信端末の利用者からの追加操作を受信して、又は自動的に、図２１に示す、撮影情報と関連付けされた、理想的な構図、人物配置、及び現場の風景の構図を構成した時の目標物を示す星印の枠を表示した参照画像を通信端末に送信し、通信端末上で表示させる。このとき、季節や時刻など、条件が異なる画像の候補を同時に送信し、通信端末の利用者が選択できるように構成することもできる。また、このとき、図２２に示す加工用の元画像を通信端末に送信させることもできる。
【００５０】
通信端末の利用者は、情報サーバから得た撮影情報を参照して撮影を行う。撮影された風景の例を図２３に示す。図２３は、風景として富士山を撮影した。この例では、富士山の山頂部分に雲がかかり見えなくなっている。撮影した画像を通信端末から情報サーバへ送信する。情報サーバは受信した画像と、図２１に示す撮影情報と関連付けられて記憶されている参照画像との類似性を確認する。ここで、通信端末の利用者の追加操作を受信する、又は自動的に、撮影を終了した後に、そのまま撮影終了してもよいし、画像の加工へ進んでもよい。また、必要に応じて撮影をやり直すように指示してもよい。そして、受信した画像に複数の候補があれば、選択肢を示すように構成することもできる。情報サーバは、図２２に示した加工用の元画像と、図２３に示した実際に撮影した画像とを組み合わせて加工する。加工後の画像を図２４に示す。情報サーバは、通信端末へ加工した画像を送信する。
【００５１】
通信端末に、図２１に示す撮影情報に関連付けられている参照画像を保持させておけば、通信端末の利用者が情報処理端末、例えばコンピュータにて、自ら画像を加工できるようにしてもよい。通信端末に画像を加工するコンピュータを搭載していてもよい。また、通信端末の利用者が、通信端末に加工用の元画像を保持していれば、撮影後、帰宅してから加工を行う等、撮影から時間を経ても加工を実施できるようにすることもできる。また、図２５に示した花火の風景のように、撮影対象が一瞬で変化する一過性がある場合は、撮影情報を参照して撮影を行った正確な日時の情報を情報サーバに提供することで、所望の画像へ加工するようにしてもよい。
【００５２】
次に、図２６を参照して、本発明の情報提供システムの情報提供プログラムを説明する。図２６は、本発明の情報提供システムの情報提供プログラムのフローチャートである。まず、通信端末で、測位ステップＳ１６−１において、通信端末の位置情報を測位し、位置情報送信ステップＳ１１−１において、風景の撮影場所を管理する情報サーバへ位置情報を送信する。情報サーバで、位置情報受信ステップＳ２３−１において、通信端末の位置情報を通信端末から受信し、撮影情報送信ステップＳ２１−１において、位置情報に対応した風景の画像及び風景を撮影するための指示を撮影情報として通信端末へ送信する。通信端末で、撮影情報受信ステップＳ１３−１において、撮影情報を情報サーバから受信し、撮影ステップＳ１５−１において、撮影情報を参照して現場を撮影し、端末画像送信ステップＳ１２−１において、撮影した現場の画像を情報サーバへ送信する。
【００５３】
そして、情報サーバで、サーバ画像受信ステップＳ２４−１において、撮影情報を参照して撮影された画像を通信端末から受信し、画像比較ステップＳ２５−１において、サーバ画像受信ステップＳ２４−１で通信端末から受信した画像と、位置情報に対応した風景の画像とを比較し、サーバ画像加工ステップＳ２６−１において、画像比較ステップＳ２５−１で比較した結果に応じて、サーバ画像受信ステップＳ２４−１で受信した画像を加工し、サーバ画像送信ステップＳ２２−１において、加工した画像を通信端末へ送信する。通信端末で、端末画像受信ステップＳ１４−１において、撮影した現場の画像を、位置情報に対応した風景の画像を参照して加工された画像について、情報サーバから受信する。なお、位置情報には、現場を撮影した日時が含まれてもよい。日時を含むことで一過性のイベント、例えば花火の撮影などにも対応できる。
【００５４】
以上説明したように、通信端末の利用者が例えば、風光明媚な観光スポットを訪れて、雲がかかっている、日差しが弱く色合いがはっきりしない、又は桜花など観賞のピークから微妙にずれている、或いは花火のように一過性でタイミングが非常に難しい撮影対象などを撮影した際に、天候や時刻といった条件に左右されて、必ずしも望んだ風景の画像が撮影できないことがあったが、位置情報や時刻情報と連携し、撮影対象の状況を問わず、望んだ風景の画像を取得することができる。
【００５５】
次に、図２７を参照して、本発明の情報提供システムの情報提供プログラムの実施形態を説明する。図２７は、本発明の情報提供システムの情報提供プログラムの実施形態のフローチャートであり、撮影情報受信ステップＳ１３−２の後、撮影ステップＳ１５−２の前で、又は撮影ステップＳ１５−２の後、端末画像送信ステップＳ１２−２の前で、端末画像指示ステップＳ１７−１において、送信する画像又は位置情報に対応した風景の画像を選択する指示を取得してもよい。また、撮影情報送信ステップＳ２１−２の前、位置情報受信ステップＳ２３−２の後で、又は画像比較ステップＳ２５−２の前、サーバ画像受信ステップＳ２４−２の後で、サーバ画像指示ステップＳ２７−１において、受信した画像又は位置情報に対応した風景の画像を選択する指示を取得してもよい。
【００５６】
通信端末では、情報サーバから受信した位置情報に対応した風景の画像は、様々な条件において撮影された画像が含まれており、通信端末の利用者がどのような画像を撮影するのか、参照する画像を選択することができる。同様に、情報サーバへ送信する画像についても、撮影部によって撮影された画像の中から選択して送信することができるので、より現場の状況を明確に撮影した画像を送信することができる。また、情報サーバでは、通信端末から受信した撮影情報を参照して撮影された現場の画像が複数である場合、通信端末の利用者に対して画像を選択させることができる。同様に、画像を加工後、通信端末へ送信する画像についても、異なる複数の条件で加工した場合には、異なる複数の画像の中から選択させることができるので、より通信端末の利用者の要求に即した画像を取得することができる。
【００５７】
次に、図２８を参照して、本発明の情報提供システムの情報提供プログラムの実施形態を説明する。図２８は、本発明の情報提供システムの情報提供プログラムの実施形態のフローチャートであり、撮影ステップＳ１５−３の後で、端末画像保持ステップＳ１８−１において、現場を撮影した画像を加工してもよい。また、サーバ画像加工ステップＳ２６−３の前、画像比較ステップＳ２５−３の後で、サーバ加工指示ステップＳ２８−１において、サーバ画像加工ステップＳ２６−３で、受信した画像を加工するか否かの指示を取得してもよい。通信端末において、撮影した画像を保持し、別途、情報処理端末、例えばコンピュータにおいて画像を加工できるようにすることで、通信端末の利用者が、自分自身の手法と時期に画像を加工することができる。また、情報サーバでは、通信端末において、画像を保持し、通信端末のユーザが画像を加工することができる場合、情報サーバで加工するか否かを選択できるようにすることで、通信端末の利用者が、自分自身の手法と時期に画像を加工することができる。
【００５８】
次に、図２９を参照して、本発明の通信端末の情報提供プログラムを説明する。図２９は、本発明の通信端末の情報提供プログラムのフローチャートである。まず、測位ステップＳ１６−４において、通信端末の位置情報を測位する。次に、位置情報送信ステップＳ１１−４において、風景の撮影場所を管理する情報サーバへ位置情報を送信する。撮影情報受信ステップＳ１３−４において、位置情報に対応した風景の画像及び風景を撮影するための指示を撮影情報として情報サーバから受信する。撮影ステップＳ１５−４において、撮影情報を参照して現場を撮影する。さらに、端末画像送信ステップＳ１２−４において、撮影した現場の画像を情報サーバへ送信する。そして、端末画像受信ステップＳ１４−４において、撮影した現場の画像を、位置情報に対応した風景の画像を参照して加工された画像について、情報サーバから受信する。なお、位置情報には、現場を撮影した日時が含まれてもよい。日時を含むことで一過性のイベント、例えば花火の撮影などにも対応できる。
【００５９】
以上説明したように、通信端末の利用者が例えば、風光明媚な観光スポットを訪れて、雲がかかっている、日差しが弱く色合いがはっきりしない、又は桜花など観賞のピークから微妙にずれている、或いは花火のように一過性でタイミングが非常に難しい撮影対象などを撮影した際に、天候や時刻といった条件に左右されて、必ずしも望んだ風景の画像が撮影できないことがあったが、位置情報や時刻情報と連携し、撮影対象の状況を問わず、望んだ風景の画像を取得することができる。
【００６０】
次に、図３０を参照して、本発明の通信端末の情報提供プログラムの実施形態を説明する。図３０は、本発明の通信端末の情報提供プログラムの実施形態のフローチャートである。まず、撮影情報受信ステップＳ１３−５の後、撮影ステップＳ１５−５の前、又は撮影ステップＳ１５−５の後、端末画像送信ステップＳ１２−５の前で、端末画像指示ステップＳ１７−２において、送信する画像又は位置情報に対応した風景の画像を選択する指示を取得してもよい。情報サーバから受信した位置情報に対応した風景の画像は、様々な条件において撮影された画像が含まれており、通信端末の利用者がどのような画像を撮影するのか、参照する画像を選択することができる。同様に、情報サーバへ送信する画像についても、撮影部によって撮影された画像の中から選択して送信することができるので、より現場の状況を明確に撮影した画像を送信することができる。
【００６１】
次に、図３１を参照して、本発明の通信端末の情報提供プログラムの実施形態を説明する。図３１は、本発明の通信端末の情報提供プログラムの実施形態のフローチャートである。まず、撮影ステップＳ１５−６の後で、端末画像保持ステップＳ１８−２において、現場を撮影した画像を加工してもよい。通信端末において、撮影した画像を保持し、別途、情報処理端末、例えばコンピュータにおいて画像を加工できるようにすることで、通信端末の利用者が、自分自身の手法と時期に画像を加工することができる。
【００６２】
次に、図３２を参照して、本発明の情報サーバの情報提供プログラムを説明する。図３２は、本発明の情報サーバの情報提供プログラムのフローチャートである。まず、位置情報受信ステップＳ２３−４において、通信端末の位置情報を通信端末から受信する。次に、撮影情報送信ステップＳ２１−４において、位置情報に対応した風景の画像及び風景を撮影するための指示を撮影情報として通信端末へ送信する。さらに、サーバ画像受信ステップＳ２４−４において、撮影情報を参照して撮影された画像を通信端末から受信する。そして、画像比較ステップＳ２５−４において、サーバ画像受信ステップＳ２４−４で通信端末から受信した画像と、位置情報に対応した風景の画像とを比較する。さらに、サーバ画像加工ステップＳ２６−４において、画像比較ステップにおいて比較した結果に応じて、サーバ画像受信ステップＳ２４−４で受信した画像を加工する。そして、サーバ画像送信ステップＳ２２−４において、加工した画像を通信端末へ送信する。なお、位置情報には、現場を撮影した日時が含まれてもよい。日時を含むことで一過性のイベント、例えば花火の撮影などにも対応できる。
【００６３】
以上説明したように、通信端末の利用者が例えば、風光明媚な観光スポットを訪れて、雲がかかっている、日差しが弱く色合いがはっきりしない、又は桜花など観賞のピークから微妙にずれている、或いは花火のように一過性でタイミングが非常に難しい撮影対象などを撮影した際に、天候や時刻といった条件に左右されて、必ずしも望んだ風景の画像が撮影できないことがあったが、位置情報や時刻情報などと連携し、撮影対象の状況を問わず、望んだ風景の画像を取得することができる。
【００６４】
次に、図３３を参照して、本発明の情報サーバの情報提供プログラムを説明する。図３３は、本発明の情報サーバの情報提供プログラムのフローチャートであり、また、撮影情報送信ステップＳ２１−５の前、位置情報受信ステップＳ２３−５の後で、又は画像比較ステップＳ２５−５の前、サーバ画像受信ステップＳ２４−５の後で、サーバ画像指示ステップＳ２７−２において、受信した画像又は位置情報に対応した風景の画像を選択する指示を取得してもよい。通信端末から受信した撮影情報を参照して撮影された現場の画像が複数である場合、通信端末の利用者に対して画像を選択させることができる。同様に、画像を加工後、通信端末へ送信する画像についても、異なる複数の条件で加工した場合には、異なる複数の画像の中から選択させることができるので、より通信端末の利用者の要求に即した画像を取得することができる。
【００６５】
次に、図３４を参照して、本発明の情報サーバの情報提供プログラムの実施形態を説明する。図３４は、本発明の情報提供システムの情報サーバの実施形態のフローチャートであり、サーバ画像加工ステップＳ２６−６の前、画像比較ステップＳ２５−６の後で、サーバ加工指示ステップＳ２８−２において、サーバ画像加工ステップＳ２６−６で、受信した画像を加工するか否かの指示を取得してもよい。情報サーバでは、通信端末において、画像を保持し、通信端末のユーザが画像を加工することができる場合、情報サーバで加工するか否かを選択できるようにすることで、通信端末の利用者が、自分自身の手法と時期に画像を加工することができる。
【００６６】
上記の実施形態の一部又は全部は、以下の付記のようにも記載されうるが、以下には限られない。
【００６７】
（付記１）
通信端末で、前記通信端末の位置情報を測位する測位部と、
前記通信端末で、風景の撮影場所を管理する情報サーバへ位置情報を送信する位置情報送信部と、
前記情報サーバで、前記通信端末の位置情報を前記位置情報送信部から受信する位置情報受信部と、
前記情報サーバで、前記位置情報に対応した風景の画像及び風景を撮影するための指示を撮影情報として前記撮影情報受信部へ送信する撮影情報送信部と、
前記通信端末で、前記撮影情報を前記撮影情報送信部から受信する撮影情報受信部と、
前記通信端末で、前記撮影情報を参照して現場を撮影する撮影部と、
前記通信端末で、前記撮影した現場の画像を前記情報サーバへ送信する端末画像送信部と、
前記情報サーバで、前記撮影情報を参照して撮影された画像を前記端末画像送信部から受信するサーバ画像受信部と、
前記情報サーバで、前記サーバ画像受信部において前記端末画像送信部から受信した画像と、前記位置情報に対応した風景の画像とを比較する画像比較部と、
前記情報サーバで、前記画像比較部において比較した結果に応じて、前記サーバ画像受信部において受信した画像を加工するサーバ画像加工部と、
前記情報サーバで、前記加工した画像を前記端末画像受信部へ送信するサーバ画像送信部と
前記通信端末で、前記位置情報に対応した風景の画像を参照して加工された前記現場の画像について、前記サーバ画像送信部から受信する端末画像受信部とを備える情報提供システム。
（付記２）
さらに、前記位置情報には、前記現場を撮影した日時が含まれることを特徴とする付記１に記載の情報提供システム。
（付記３）
さらに、前記通信端末において、前記送信する画像又は前記位置情報に対応した風景の画像を選択する指示を取得する端末画像指示部を備え、前記情報サーバにおいて、前記受信した画像又は前記位置情報に対応した風景の画像を選択する指示を取得するサーバ画像指示部を備えることを特徴とする付記１又は２に記載の情報提供システム。
（付記４）
さらに、前記通信端末において、前記現場を撮影した画像を保持する端末画像保持部を備え、前記情報サーバにおいて、前記サーバ画像加工部で前記受信した画像を加工するか否かの指示を取得するサーバ加工指示部を備えることを特徴とする付記１から３のいずれかに記載の情報提供システム。
（付記５）
通信端末の位置情報を測位する測位部と、
風景の撮影場所を管理する情報サーバへ前記位置情報を送信する位置情報送信部と、
前記位置情報に対応した風景の画像及び前記風景を撮影するための指示を撮影情報として前記情報サーバから受信する撮影情報受信部と、
前記撮影情報を参照して現場を撮影する撮影部と、
前記撮影した現場の画像を前記情報サーバへ送信する端末画像送信部と、
前記撮影した現場の画像を、前記位置情報に対応した風景の画像を参照して加工された画像について、前記情報サーバから受信する端末画像受信部と、を備える通信端末。
（付記６）
さらに、前記位置情報には、前記現場を撮影した日時が含まれることを特徴とする付記５に記載の通信端末。
（付記７）
さらに、前記送信する画像又は前記位置情報に対応した風景の画像を選択する指示を取得する端末画像指示部を備えることを特徴とする付記５又は６に記載の通信端末。
（付記８）
さらに、前記現場を撮影した画像を保持する端末画像保持部を備えることを特徴とする付記５から７のいずれかに記載の通信端末。
（付記９）
通信端末の位置情報を前記通信端末から受信する位置情報受信部と、
前記位置情報に対応した風景の画像及び前記風景を撮影するための指示を撮影情報として前記通信端末へ送信する撮影情報送信部と、
前記撮影情報を参照して撮影された現場の画像を前記通信端末から受信するサーバ画像受信部と、
前記サーバ画像受信部において前記通信端末から受信した画像と、前記位置情報に対応した風景の画像とを比較する画像比較部と、
前記画像比較部において比較した結果に応じて、前記サーバ画像受信部において受信した画像を加工するサーバ画像加工部と、
前記加工した画像を前記通信端末へ送信するサーバ画像送信部と、を備える情報サーバ。
（付記１０）
さらに、前記位置情報には、前記現場を撮影した日時が含まれることを特徴とする付記９に記載の情報サーバ。
（付記１１）
さらに、前記受信した画像又は前記位置情報に対応した風景の画像を選択する指示を取得するサーバ画像指示部を備えることを特徴とする付記９又は１０に記載の情報サーバ。
（付記１２）
さらに、前記サーバ画像加工部において、前記受信した画像を加工するか否かの指示を取得するサーバ加工指示部を備えることを特徴とする付記９から１１のいずれかに記載の情報サーバ。
（付記１３）
通信端末で、前記通信端末の位置情報を測位する測位手順と、
前記通信端末で、風景の撮影場所を管理する情報サーバへ前記位置情報を送信する位置情報送信手順と、
前記情報サーバで、前記通信端末の位置情報を前記通信端末から受信する位置情報受信手順と、
前記情報サーバで、前記位置情報に対応した風景の画像及び前記風景を撮影するための指示を撮影情報として前記通信端末へ送信する撮影情報送信手順と、
前記通信端末で、前記撮影情報を前記情報サーバから受信する撮影情報受信手順と、
前記通信端末で、前記撮影情報を参照して現場を撮影する撮影手順と、
前記通信端末で、前記撮影した現場の画像を前記情報サーバへ送信する端末画像送信手順と、
前記情報サーバで、前記撮影情報を参照して撮影された画像を前記通信端末から受信するサーバ画像受信手順と、
前記情報サーバで、前記サーバ画像受信手順において前記通信端末から受信した画像と、前記位置情報に対応した風景の画像とを比較する画像比較手順と、
前記情報サーバで、前記画像比較手順において比較した結果に応じて、前記サーバ画像受信手順において受信した画像を加工するサーバ画像加工手順と、
前記情報サーバで、前記加工した画像を前記通信端末へ送信するサーバ画像送信手順と、
前記通信端末で、前記撮影した現場の画像を、前記位置情報に対応した風景の画像を参照して加工された画像について、前記情報サーバから受信する端末画像受信手順と、を順に有する情報提供システムの情報提供方法。
（付記１４）
さらに、前記位置情報には、前記現場を撮影した日時が含まれることを特徴とする付記１３に記載の情報提供システムの情報提供方法。
（付記１５）
さらに、前記送信する画像又は前記位置情報に対応した風景の画像を選択する指示を取得する端末画像指示手順を、前記撮影情報受信手順の後、前記撮影手順の前、又は前記撮影手順の後、前記端末画像送信手順の前に有し、
前記受信した画像又は前記位置情報に対応した風景の画像を選択する指示を取得するサーバ画像指示手順を、前記撮影情報送信手順の前、前記位置情報受信手順の後、又は前記画像比較手順の前、前記サーバ画像受信手順の後に有することを特徴とする付記１３又は１４に記載の情報提供システムの情報提供方法。
（付記１６）
さらに、前記現場を撮影した画像を保持する端末画像保持手順を、前記撮影手順の後に有し、
前記サーバ画像加工手順において、前記受信した画像を加工するか否かの指示を取得するサーバ加工指示手順を、前記サーバ画像加工手順の前、前記画像比較手順の後に有することを特徴とする付記１３から１５のいずれかに記載の情報提供システムの情報提供方法。
（付記１７）
通信端末の位置情報を測位する測位手順と、
風景の撮影場所を管理する情報サーバへ前記位置情報を送信する位置情報送信手順と、
前記位置情報に対応した風景の画像及び前記風景を撮影するための指示を撮影情報として前記情報サーバから受信する撮影情報受信手順と、
前記撮影情報を参照して現場を撮影する撮影手順と、
前記撮影した現場の画像を前記情報サーバへ送信する端末画像送信手順と、
前記撮影した現場の画像を、前記位置情報に対応した風景の画像を参照して加工された画像について、前記情報サーバから受信する端末画像受信手順と、を順に有する通信端末の情報提供方法。
（付記１８）
さらに、前記位置情報には、前記現場を撮影した日時が含まれることを特徴とする付記１７に記載の通信端末の情報提供方法。
（付記１９）
さらに、前記送信する画像又は前記位置情報に対応した風景の画像を選択する指示を取得する端末画像指示手順を、前記撮影情報受信手順の後、前記撮影手順の前、又は前記撮影手順の後、前記端末画像送信手順の前に有することを特徴とする付記１７又は１８に記載の通信端末の情報提供方法。
（付記２０）
さらに、前記現場を撮影した画像を保持する端末画像保持手順を、前記撮影手順の後に有することを特徴とする付記１７から１９のいずれかに記載の通信端末の情報提供方法。
（付記２１）
通信端末の位置情報を前記通信端末から受信する位置情報受信手順と、
前記位置情報に対応した風景の画像及び前記風景を撮影するための指示を撮影情報として前記通信端末へ送信する撮影情報送信手順と、
前記撮影情報を参照して撮影された画像を前記通信端末から受信するサーバ画像受信手順と、
前記サーバ画像受信手順において前記通信端末から受信した画像と、前記位置情報に対応した風景の画像とを比較する画像比較手順と、
前記画像比較手順において比較した結果に応じて、前記サーバ画像受信手順において受信した画像を加工するサーバ画像加工手順と、
前記加工した画像を前記通信端末へ送信するサーバ画像送信手順と、を順に有する情報サーバの情報提供方法。
（付記２２）
さらに、前記位置情報には、前記現場を撮影した日時が含まれることを特徴とする付記２１に記載の情報サーバの情報提供方法。
（付記２３）
さらに、前記受信した画像又は前記位置情報に対応した風景の画像を選択する指示を取得するサーバ画像指示手順を、前記撮影情報送信手順の前、前記位置情報受信手順の後、又は前記画像比較手順の前、前記サーバ画像受信手順の後に有することを特徴とする付記２１又は２２に記載の情報サーバの情報提供方法。
（付記２４）
さらに、前記サーバ画像加工手順において、前記受信した画像を加工するか否かの指示を取得するサーバ加工指示手順を、前記サーバ画像加工手順の前、前記画像比較手順の後に有することを特徴とする付記２１から２３のいずれかに記載の情報サーバの情報提供方法。
（付記２５）
通信端末で、前記通信端末の位置情報を測位する測位ステップと、
前記通信端末で、風景の撮影場所を管理する情報サーバへ前記位置情報を送信する位置情報送信ステップと、
前記情報サーバで、前記通信端末の位置情報を前記通信端末から受信する位置情報受信ステップと、
前記情報サーバで、前記位置情報に対応した風景の画像及び前記風景を撮影するための指示を撮影情報として前記通信端末へ送信する撮影情報送信ステップと、
前記通信端末で、前記撮影情報を前記情報サーバから受信する撮影情報受信ステップと、
前記通信端末で、前記撮影情報を参照して現場を撮影する撮影ステップと、
前記通信端末で、前記撮影した現場の画像を前記情報サーバへ送信する端末画像送信ステップと、
前記情報サーバで、前記撮影情報を参照して撮影された画像を前記通信端末から受信するサーバ画像受信ステップと、
前記情報サーバで、前記サーバ画像受信ステップにおいて前記通信端末から受信した画像と、前記位置情報に対応した風景の画像とを比較する画像比較ステップと、
前記情報サーバで、前記画像比較ステップにおいて比較した結果に応じて、前記サーバ画像受信ステップにおいて受信した画像を加工するサーバ画像加工ステップと、
前記情報サーバで、前記加工した画像を前記通信端末へ送信するサーバ画像送信ステップと、
前記通信端末で、前記撮影した現場の画像を、前記位置情報に対応した風景の画像を参照して加工された画像について、前記情報サーバから受信する端末画像受信ステップと、を順に情報提供システムに実行させる情報提供システムの情報提供プログラム。
（付記２６）
さらに、前記位置情報には、前記現場を撮影した日時が含まれることを特徴とする付記２５に記載の情報提供システムに実行させる情報提供システムの情報提供プログラム。
（付記２７）
さらに、前記送信する画像又は前記位置情報に対応した風景の画像を選択する指示を取得する端末画像指示ステップを、前記撮影情報受信ステップの後、前記撮影ステップの前、又は前記撮影ステップの後、前記端末画像送信ステップの前に有し、
前記受信した画像又は前記位置情報に対応した風景の画像を選択する指示を取得するサーバ画像指示ステップを、前記撮影情報送信ステップの前、前記位置情報受信ステップの後、又は前記画像比較ステップの前、前記サーバ画像受信ステップの後に有することを特徴とする付記２５又は２６に記載の情報提供システムに実行させる情報提供システムの情報提供プログラム。
（付記２８）
さらに、前記現場を撮影した画像を保持する端末画像保持ステップを、前記撮影ステップの後に有し、
前記サーバ画像加工ステップにおいて、前記受信した画像を加工するか否かの指示を取得するサーバ加工指示ステップを、前記サーバ画像加工ステップの前、前記画像比較ステップの後に有することを特徴とする付記２５から２７のいずれかに記載の情報提供システムに実行させる情報提供システムの情報提供プログラム。
（付記２９）
通信端末の位置情報を測位する測位ステップと、
風景の撮影場所を管理する情報サーバへ前記位置情報を送信する位置情報送信ステップと、
前記位置情報に対応した風景の画像及び前記風景を撮影するための指示を撮影情報として前記情報サーバから受信する撮影情報受信ステップと、
前記撮影情報を参照して現場を撮影する撮影ステップと、
前記撮影した現場の画像を前記情報サーバへ送信する端末画像送信ステップと、
前記撮影した現場の画像を、前記位置情報に対応した風景の画像を参照して加工された画像について、前記情報サーバから受信する端末画像受信ステップと、を順に通信端末に実行させる通信端末の情報提供プログラム。
（付記３０）
さらに、前記位置情報には、前記現場を撮影した日時が含まれることを特徴とする付記２９に記載の通信端末に実行させる通信端末の情報提供プログラム。
（付記３１）
さらに、前記送信する画像又は前記位置情報に対応した風景の画像を選択する指示を取得する端末画像指示ステップを、前記撮影情報受信ステップの後、前記撮影ステップの前、又は前記撮影ステップの後、前記端末画像送信ステップの前に有することを特徴とする付記２９又は３０に記載の通信端末に実行させる通信端末の情報提供プログラム。
（付記３２）
さらに、前記現場を撮影した画像を保持する端末画像保持ステップを、前記撮影ステップの後に有することを特徴とする付記２９から３１のいずれかに記載の通信端末に実行させる通信端末の情報提供プログラム。
（付記３３）
通信端末の位置情報を前記通信端末から受信する位置情報受信ステップと、
前記位置情報に対応した風景の画像及び前記風景を撮影するための指示を撮影情報として前記通信端末へ送信する撮影情報送信ステップと、
前記撮影情報を参照して撮影された画像を前記通信端末から受信するサーバ画像受信ステップと、
前記サーバ画像受信ステップにおいて前記通信端末から受信した画像と、前記位置情報に対応した風景の画像とを比較する画像比較ステップと、
前記画像比較ステップにおいて比較した結果に応じて、前記サーバ画像受信ステップにおいて受信した画像を加工するサーバ画像加工ステップと、
前記加工した画像を前記通信端末へ送信するサーバ画像送信ステップと、を順に情報サーバに実行させる情報サーバの情報提供プログラム。
（付記３４）
さらに、前記位置情報には、前記現場を撮影した日時が含まれることを特徴とする付記３３に記載の情報サーバに実行させる情報サーバの情報提供プログラム。
（付記３５）
さらに、前記受信した画像又は前記位置情報に対応した風景の画像を選択する指示を取得するサーバ画像指示ステップを、前記撮影情報送信ステップの前、前記位置情報受信ステップの後、又は前記画像比較ステップの前、前記サーバ画像受信ステップの後に有することを特徴とする付記３３又は３４に記載の情報サーバに実行させる情報サーバの情報提供プログラム。
（付記３６）
さらに、前記サーバ画像加工ステップにおいて、前記受信した画像を加工するか否かの指示を取得するサーバ加工指示ステップを、前記サーバ画像加工ステップの前、前記画像比較ステップの後に有することを特徴とする付記３３から３５のいずれかに記載の情報サーバに実行させる情報サーバの情報提供プログラム。
【符号の説明】
【００６８】
１０−１，１０−２，１０−３，１０−４，１０−５，１０−６：端末制御部
１１−１，１１−２，１１−３，１１−４，１１−５，１１−６：位置情報送信部
１２−１，１２−２，１２−３，１２−４，１２−５，１２−６：端末画像送信部
１３−１，１３−２，１３−３，１３−４，１３−５，１３−６：撮影情報受信部
１４−１，１４−２，１４−３，１４−４，１４−５，１４−６：端末画像受信部
１５−１，１５−２，１５−３，１５−４，１５−５，１５−６：撮影部
１６−１，１６−２，１６−３，１６−４，１６−５，１６−６：測位部
１７−１，１７−２：端末画像指示部
１８−１，１８−２：端末画像保持部
２０−１，２０−２，２０−３，２０−４，２０−５，２０−６：サーバ制御部
２１−１，２１−２，２１−３，２１−４，２１−５，２１−６：撮影情報送信部
２２−１，２２−２，２２−３，２２−４，２２−５，２２−６：サーバ画像送信部
２３−１，２３−２，２３−３，２３−４，２３−５，２３−６：位置情報受信部
２４−１，２４−２，２４−３，２４−４，２４−５，２４−６：サーバ画像受信部
２５−１，２５−２，２５−３，２５−４，２５−５，２５−６：画像比較部
２６−１，２６−２，２６−３，２６−４，２６−５，２６−６：サーバ画像加工部
２７−１，２７−２：サーバ画像指示部
２８−１，２８−２：サーバ加工指示部
１００：通信端末
１０１：情報処理端末
１０２：情報サーバ
２００：ネットワーク通信網
Ｐ１１−１，Ｐ１１−２，Ｐ１１−３，Ｐ１１−４，Ｐ１１−５，Ｐ１１−６：位置情報送信手順
Ｐ１２−１，Ｐ１２−２，Ｐ１２−３，Ｐ１２−４，Ｐ１２−５，Ｐ１２−６：端末画像送信手順
Ｐ１３−１，Ｐ１３−２，Ｐ１３−３，Ｐ１３−４，Ｐ１３−５，Ｐ１３−６：撮影情報受信手順
Ｐ１４−１，Ｐ１４−１，Ｐ１４−１，Ｐ１４−４，Ｐ１４−５，Ｐ１４−６：端末画像受信手順
Ｐ１５−１，Ｐ１５−１，Ｐ１５−１，Ｐ１５−４，Ｐ１５−５，Ｐ１５−６：撮影手順
Ｐ１６−１，Ｐ１６−１，Ｐ１６−１，Ｐ１６−４，Ｐ１６−５，Ｐ１６−６：測位手順
Ｐ１７−１，Ｐ１７−２：端末画像指示手順
Ｐ１８−１，Ｐ１８−２：端末画像保持手順
Ｐ２１−１，Ｐ２１−２，Ｐ２１−３，Ｐ２１−４，Ｐ２１−５，Ｐ２１−６：撮影情報送信手順
Ｐ２２−１，Ｐ２２−２，Ｐ２２−３，Ｐ２２−４，Ｐ２２−５，Ｐ２２−６：サーバ画像送信手順
Ｐ２３−１，Ｐ２３−２，Ｐ２３−３，Ｐ２３−４，Ｐ２３−５，Ｐ２３−６：位置情報受信手順
Ｐ２４−１，Ｐ２４−２，Ｐ２４−３，Ｐ２４−４，Ｐ２４−５，Ｐ２４−６：サーバ画像受信手順
Ｐ２５−１，Ｐ２５−２，Ｐ２５−３，Ｐ２５−４，Ｐ２５−５，Ｐ２５−６：画像比較手順
Ｐ２６−１，Ｐ２６−２，Ｐ２６−３，Ｐ２６−４，Ｐ２６−５，Ｐ２６−６：サーバ画像加工手順
Ｐ２７−１，Ｐ２７−２：サーバ画像指示手順
Ｐ２８−１，Ｐ２８−２：サーバ加工指示手順
Ｓ１１−１，Ｓ１１−２，Ｓ１１−３，Ｓ１１−４，Ｓ１１−５，Ｓ１１−６：位置情報送信ステップ
Ｓ１２−１，Ｓ１２−２，Ｓ１２−３，Ｓ１２−４，Ｓ１２−５，Ｓ１２−６：端末画像送信ステップ
Ｓ１３−１，Ｓ１３−２，Ｓ１３−３，Ｓ１３−４，Ｓ１３−５，Ｓ１３−６：撮影情報受信ステップ
Ｓ１４−１，Ｓ１４−１，Ｓ１４−１，Ｓ１４−４，Ｓ１４−５，Ｓ１４−６：端末画像受信ステップ
Ｓ１５−１，Ｓ１５−１，Ｓ１５−１，Ｓ１５−４，Ｓ１５−５，Ｓ１５−６：撮影ステップ
Ｓ１６−１，Ｓ１６−１，Ｓ１６−１，Ｓ１６−４，Ｓ１６−５，Ｓ１６−６：測位ステップ
Ｓ１７−１，Ｓ１７−２：端末画像指示ステップ
Ｓ１８−１，Ｓ１８−２：端末画像保持ステップ
Ｓ２１−１，Ｓ２１−２，Ｓ２１−３，Ｓ２１−４，Ｓ２１−５，Ｓ２１−６：撮影情報送信ステップ
Ｓ２２−１，Ｓ２２−２，Ｓ２２−３，Ｓ２２−４，Ｓ２２−５，Ｓ２２−６：サーバ画像送信ステップ
Ｓ２３−１，Ｓ２３−２，Ｓ２３−３，Ｓ２３−４，Ｓ２３−５，Ｓ２３−６：位置情報受信ステップ
Ｓ２４−１，Ｓ２４−２，Ｓ２４−３，Ｓ２４−４，Ｓ２４−５，Ｓ２４−６：サーバ画像受信ステップ
Ｓ２５−１，Ｓ２５−２，Ｓ２５−３，Ｓ２５−４，Ｓ２５−５，Ｓ２５−６：画像比較ステップ
Ｓ２６−１，Ｓ２６−２，Ｓ２６−３，Ｓ２６−４，Ｓ２６−５，Ｓ２６−６：サーバ画像加工ステップ
Ｓ２７−１，Ｓ２７−２：サーバ画像指示ステップ
Ｓ２８−１，Ｓ２８−２：サーバ加工指示ステップ
【図１】
2011181044.tif 000003
【図２】
2011181044.tif 000004
【図３】
2011181044.tif 000005
【図４】
2011181044.tif 000006
【図５】
2011181044.tif 000007
【図６】
2011181044.tif 000008
【図７】
2011181044.tif 000009
【図８】
2011181044.tif 000010
【図９】
2011181044.tif 000011
【図１０】
2011181044.tif 000012
【図１１】
2011181044.tif 000013
【図１２】
2011181044.tif 000014
【図１３】
2011181044.tif 000015
【図１４】
2011181044.tif 000016
【図１５】
2011181044.tif 000017
【図１６】
2011181044.tif 000018
【図１７】
2011181044.tif 000019
【図１８】
2011181044.tif 000020
【図１９】
2011181044.tif 000021
【図２０】
2011181044.tif 000022
【図２１】
2011181044.tif 000023
【図２２】
2011181044.tif 000024
【図２３】
2011181044.tif 000025
【図２４】
2011181044.tif 000026
【図２５】
2011181044.tif 000027
【図２６】
2011181044.tif 000028
【図２７】
2011181044.tif 000029
【図２８】
2011181044.tif 000030
【図２９】
2011181044.tif 000031
【図３０】
2011181044.tif 000032
【図３１】
2011181044.tif 000033
【図３２】
2011181044.tif 000034
【図３３】
2011181044.tif 000035
【図３４】
2011181044.tif 000036